(57)【要約】【課題】綿撒糸を収容するようになっている管状のバーレルと、綿撒糸をバーレルから追出すようになっている入れ子式プランジャーとを備えているタンポンアプリケータを提供する。【解決手段】アプリケータの一部が、アプリケータの把持特性を高めるために少なくとも１つの多方向性把持構造を持つフィンガーグリップ領域を有している。この多方向性把持構造により、使用者は、バギナへのアプリケータの挿入、アプリケータからのバーレルの追出し、およびバギナからのアプリケータの取出しの間、アプリケータをしっかり保持することができる。【選択図】図１
2005504570.tif 000002
【特許請求の範囲】
【請求項１】
綿撒糸を収容し、プランジャーを受入れるようになっているバーレルを備えており、このバーレルは、外面と、この外面の一部のまわりに配置されたフィンガーグリップ領域とを有しており、このフィンガーグリップ領域は、このフィンガーグリップ領域に配置された少なくとも２つの多方向性把持構造を有している、タンポンアプリケータであって、前記の少なくとも２つの多方向性把持構造のうちの少なくとも１つは、第１方向に向けられており、前記の少なくとも２つの多方向性把持構造のうちの他の少なくとも１つは、前記第１方向と実質的に反対の第２方向に向けられているタンポンアプリケータ。
【請求項２】
前記少なくとも２つの多方向性把持構造は、前記第１および第２方向に把持力をもたらし、前記第１方向は、アプリケータの挿入方向であり、前記第２方向は前記第１方向と実質的に反対のアプリケータの取出し方向である請求項１に記載のタンポンアプリケータ。
【請求項３】
前記少なくとも２つの多方向性把持構造は、少なくとも２つのランスである請求項１に記載のタンポンアプリケータ。
【請求項４】
前記少なくとも２つの多方向性把持構造は、少なくとも２つのまっすぐなランス、弧状のランスまたはそれらの任意の組合せである請求項３に記載のタンポンアプリケータ。
【請求項５】
前記少なくとも２つの多方向性把持構造は、少なくとも２つの弧状ランスである請求項３に記載のタンポンアプリケータ。
【請求項６】
前記少なくとも２つの弧状ランスは、約０．２５４ｃｍ（０．１０インチ）ないし０．８８９ｃｍ（０．３５インチ）の幅を有している請求項５に記載のタンポンアプリケータ。
【請求項７】
前記少なくとも２つの弧状ランスは、０．０２５ｃｍ（０．０１インチ）ないし約０．１５２ｃｍ（０．０６インチ）の高さを有している請求項５に記載のタンポンアプリケータ。
【請求項８】
前記少なくとも２つの弧状ランスは、前記バーレルの外面に列に配置された複数の弧状ランスである請求項５に記載のタンポンアプリケータ。
【請求項９】
前記複数の弧状ランスは、各列において、隣接列に配置された弧状ランスの方向と実質的に反対の方向に配置されている請求項８に記載のタンポンアプリケータ。
【請求項１０】
前記複数の弧状ランスは、２つまたはそれ以上の列において、２つまたはそれ以上の次の追加の隣接列に配置されたランスの方向と実質的に反対の方向に配置されている請求項８に記載のタンポンアプリケータ。
【請求項１１】
前記少なくとも２つの多方向性把持構造は、前記バーレルの前記外面に対して上方に隆起されており、下方に凹まされており、面一であり、或いはそれらの任意の組合せである請求項１に記載のタンポンアプリケータ。
【請求項１２】
前記バーレルは、紙、紙積層体、紙系材料、プラスチック、紙スラリー、生体ポリマー、およびそれらの任意の組合せよりなる群から選択された材料から形成されている請求項１に記載のタンポンアプリケータ。
【請求項１３】
前記バーレルは、プラスチック、ワックス、シリコーン、生体ポリマー、セロファン、ニトロセルロース、ラッカー、エポキシおよびそれらの任意の組合せよりなる群から選択された材料で被覆されている請求項１に記載のタンポンアプリケータ。
【請求項１４】
前記バーレルは、更にその押出し端部に形成された３ないし８つのぺタルを備えている請求項１に記載のタンポンアプリケータ。
【請求項１５】
少なくとも２つの多方向性把持構造を有しているタンポンアプリケータバーレルを製造するための方法であって、
（a）タンポンアプリケータバーレル素材を用意する工程と、
（b）前記アプリケータバーレル素材の少なくとも一部に前記少なくとも２つの多方向性把持構造を形成する工程と、
（ｃ）前記アプリケータバーレル素材をアプリケータバーレルに形成する工程とを具備し、
前記少なくとも２つの多方向性把持構造のうちの少なくとも１つは、第１方向に向けられており、前記少なくとも２つの多方向性把持構造のうちの他の少なくとも１つは前記第１方向と実質的に反対の第２方向に向けられている方法。
【請求項１６】
前記少なくとも２つの多方向性把持構造は、前記第１および第２方向に把持力をもたらし、前記第１方向は、アプリケータの挿入方向であり、前記第２方向は前記第１方向と実質的に反対のアプリケータの取出し方向である請求項１５に記載の方法。
【請求項１７】
前記少なくとも２つの多方向性把持構造は、２つまたはそれ以上のランスである請求項１５に記載の方法。
【請求項１８】
前記少なくとも２つの多方向性把持構造は、まっすぐなランス、弧状ランスおよびそれらの任意の組合せである請求項１５に記載の方法。
【請求項１９】
前記少なくとも２つの多方向性把持構造は、前記バーレルの外面に対して上方に隆起されており、下方に凹まされており、面一であり、或いはそれらの任意の組合せである請求項１５に記載のタンポンアプリケータ。
【請求項２０】
前記少なくとも２つの多方向性把持構造は、前記アプリケータバーレル素材の前記一部に列に配置された複数の多方向性把持構造である請求項１５に記載のタンポンアプリケータ。
【請求項２１】
前記複数の多方向性把持構造は、１つまたはそれ以上の列において、１つまたはそれ以上の次の追加の隣接列に配置された前記複数の多方向性把持構造の方向と実質的に反対の方向に配置されている請求項２０に記載のタンポンアプリケータ。
【請求項２２】
前記アプリケータバーレル素材は、紙、紙積層体、紙系材料、プラスチック、紙スラリー、生体ポリマーおよびそれらの任意の組合せよりなる群から選択された材料から形成されている請求項１５に記載のタンポンアプリケータ。
【請求項２３】
前記アプリケータバーレル素材は、プラスチック、ワックス、シリコーン、生体ポリマー、セロファン、ニトロセルロース、ラッカー、エポキシおよびそれらの任意の組合せよりなる群から選択されたコーティング材料で被覆されている請求項１５に記載の方法。
【請求項２４】
前記バーレルは、このバーレル押出し端部に形成された３ないし８つのぺタルを備えている請求項１５に記載の方法。
【請求項２５】
周方向に配置された少なくとも２つの弧状ランス把持構造を有するタンポンアプリケータバーレルを製造する方法でたって、
（a）タンポンアプリケータバーレル素材を用意する工程と、
（b）前記アプリケータバーレル素材の一部に少なくとも２つの弧状ランスフィンガーグリップを切り込む工程と、
（ｃ）前記アプリケータバーレル素材をアプリケータバーレルに形成する工程とを具備し、
前記少なくとも２つの弧状ランス把持構造のうちの少なくとも１つは、第１方向に向けられており、前記少なくとも２つの弧状ランス把持構造のうちの他の少なくとも１つは前記第１方向と実質的に反対の第２方向に向けられており、前記少なくとも２つの弧状ランスフィンガーグリップ構造は、隆起されており、かくして前記挿入方向および前記取出し方向の両方に把持力をもたらす方法。
【請求項２６】
前記少なくとも２つの弧状ランス把持構造は、前記バーレルの前記一部に１つまたはそれ以上の列に配置された複数の弧状ランス把持構造である請求項２５に記載の方法。
【請求項２７】
前記複数の弧状ランス把持構造は、２つまたはそれ以上の列に配置されており、前記複数のランス把持構造は、各列において、隣接列に配置された前記弧状ランス把持構造の方向と実質的に反対の方向に配置されている請求項２６に記載の方法。
【請求項２８】
前記複数の弧状ランス把持構造は、２つまたはそれ以上の列において、２つまたはそれ以上の次の追加の隣接列に配置された前記複数の弧状ランス把持構造の方向と実質的に反対の方向に配置されている請求項２６に記載の方法。
【請求項２９】
前記アプリケータバーレル素材は、紙、紙積層体、紙系材料、プラスチック、紙スラリー、生体ポリマーおよびそれらの任意の組合せよりなる群から選択された材料から形成されている請求項２５に記載の方法。
【請求項３０】
前記アプリケータバーレル素材は、プラスチック、ワックス、シリコーン、生体ポリマー、セロファン、ニトロセルロース、ラッカー、エポキシおよびそれらの任意の組合せよりなる群から選択された材料で被覆されている請求項２５に記載の方法。
【発明の詳細な説明】
【技術分野】
【０００１】
本発明は挿入可能な部材を収容することが可能な挿入装置に関する。詳細には、本発明は、少なくとも１つの多方向性把持構造を持つ別個のフィンガーグリップ領域を有するタンポンアプリケータのような月経挿入装置に関する。
【背景技術】
【０００２】
月経挿入装置またはアプリケータは、普通、２つの部品、つまり、バーレルと、このバーレル内で入れ子式に摺動するようになっているプランジャーとを有している。吸収剤綿撒糸のような、アプリケータから押出されるべき材料はアプリケータのバーレルに位置決めされている。このバーレルは、綿撒糸を押出すための第１端部と、プランジャーを受入れるための第２端部とを有している。タンポンアプリケータを使用するには、消費者は押出端部を適切に位置決めし、バーレルを掴み、そしてプランジャーをバーレル内でバーレルの第１端部に向けて移動させるか或いは摺動させて綿撒糸を追出す。
【０００３】
吸収剤タンポン綿撒糸がアプリケータバーレルの内壁部に圧力を及ぼす。かくして、バーレルからの綿撒糸の追出しは、最小の圧力をバーレルに加えて使用者による保持を確保するために伝導性である把持形状を有するアプリケータを必要とする。アプリケータのバーレルに加えられる圧力を最小にすることによって、バーレルの変形が低減される。変形が、綿撒糸と、バーレルとプランジャーとの間の顕著な摩擦を引起し、それによりバーレルからの綿撒糸の追出しを著しく妨げる。
【０００４】
アプリケータの取扱いおよび設置およびバギナへの綿撒糸の追出しを容易にするために、アプリケータのバーレルに配置された種々のフィンガーグリップの形状が提案されてきた。１つの解決策は、バーレルの外面をエンボス加工することにより形成される一体のフィンガーグリップを有するタンポンアプリケータである。アプリケータのバーレルのエンボス加工された部分は代表的には幾つかの周列に整合された一連の隆起周リングまたは一連の別個のドットの形態をとっている。このようなフィンガーグリップの例は、ジャクソンの米国特許第6,045,526号、ホックス等の第5,395,308号、クレシウスの第5,290,501号、ハフマンの第4,573,964号、シェルダンの第4,573,963号、ネルビン等の第4,891,042号、ウィグナー等の第4,412,833号、バーガーの第3,895,634号、レヤーの第3,628,533号、リカード等の第2,922,423号、ホーネスの第2,587,717号およびラスの第2,489,502号でみることができる。
【０００５】
把持問題に対する他の解決策がボス等の米国特許第3,575,169号に見られ、この特許はフィンガーグリップを設けるためにタンポンアプリケータの外管に付けられた別体の隆起部材を提供している。これらの部材はプラスチック、ゴム、セラミックまたは他の材料で形成されることができ、締り嵌めまたは接合により外管に取付けられることができる。
【０００６】
リッチステイン等の米国特許第4,536,178号は把持構造を備えた平坦化表面を有するタンポンアプリケータを開示している。しかしながら、開示された把持構造はリブの列に制限されている。
【０００７】
バギナへの綿撒糸の挿入のために把持構造をアプリケータに設ける必要性に取組みながら、従来技術は、同じ把持構造がバギナからのアプリケータバーレルの取出し時に等しい把持力を及ぼすように構成される必要性をほとんど重要と考えていない。かくして、消費者がアプリケータの挿入および綿撒糸の追出しのために容易にアプリケータを握り得るだけではなく、バギナからの容易な取出しのためにアプリケータを握り得る少なくとも１つの多方向性把持構造を有する別個のフィンガーグリップ領域を備えたタンポンアプリケータの必要性がある。
【発明の開示】
【発明が解決しようとする課題】
【０００８】
本発明の目的は少なくとも１つの多方向性把持構造を備えた別個のフィンガーグリップ領域を有するタンポンアプリケータを提供することである。
【０００９】
本発明の他の目的は、少なくとも１つの多方向性把持構造により、使用者がアプリケータを容易に挿入したり、バーレルから綿撒糸を容易に追出したりするためにアプリケータのバーレルをしっかり握ることができる上記のようなタンポンアプリケータを提供することである。
【００１０】
本発明の更に他の目的は、少なくとも１つの多方向性把持構造により、使用者がアプリケータを容易に握り、これをバギナから容易に取出すことができる上記のようなタンポンアプリケータを提供することである。
【００１１】
本発明の更に他の目的は、少なくとも１つの多方向性把持構造が１つまたはそれ以上のスリット、孔、ランスまたはそれらの任意の組合せである上記のようなタンポンアプリケータを提供することである。
【００１２】
本発明の更なら目的は、少なくとも１つの多方向性把持構造が隆起されてもよいし、凹まされてもよいし、或いはそれらの組合せでもよい上記のようなタンポンアプリケータを提供することである。
【００１３】
本発明の更に他の目的は、製造容易である少なくとも１つの多方向性把持構造を持つ別個のフィンガーグリップ領域を有する上記のようなタンポンアプリケータを提供することである。
【課題を解決するための手段】
【００１４】
本発明のこれらおよび他の目的および利点は本発明によるタンポンから認められるであろう。このタンポンは吸収剤綿撒糸と、この綿撒糸を収容するためのアプリケータとを有している。このアプリケータは、綿撒糸を収容するようになっているバーレルと、綿撒糸をバーレルから追出すようになっている入れ子式プランジャーとを備えている。アプリケータの一部、好ましくは、バーレルはフィンガーグリップ領域を有している。このフィンガーグリップ領域はアプリケータの把持特性を高めるために少なくとも１つの多方向性把持構造を有している。この多方向性把持構造により、使用者は、バギナへのアプリケータの挿入、アプリケータからの綿撒糸の追出しおよびバギナからのアプリケータの取出しの間、アプリケータをしっかり保持し得る。
【発明を実施するための最良の形態】
【００１５】
図面、詳細には図１を参照すると、本発明のタンポンアプリケータが全体として参照符号１０で示されている。このアプリケータ１０はバーレル１２と、このバーレル内で入れ子式に移動したり或いは摺動したりするようになっているプランジャー１４とを有している。バーレル１２の内側およびプランジャー１４の外面の形状および直径はバーレル１２内で入れ子式に好ましくは摩擦なしに摺動するような程度のものであり、それでもプランジャーはバーレルから綿撒糸１６を押出すのに十分な直径を有している。かくして、バーレル１２およびプランジャー１４は好ましくは、特にバーレルのプランジャー受け端部２８では同じ形状を有している。この形状は任意の形状であることができるが、それにもかかわらず、バーレル１２およびプランジャー１４は好ましくは円筒形または円形の形状を有している。
【００１６】
バーレル１２には、吸収剤綿撒糸１６が収容されており、この吸収剤綿撒糸１６は抜取り紐１８を有している。バーレル１２は前端部すなわち押出し端部３０および後端部すなわちプランジャー受け端部２８を有している。押出し端部３０は開放していてもよいし、或いは３つないし８つの別体の、或いは連結されたぺタルを有してもよく、これにより、アプリケータ１０の挿入および取出し中、使用者に増大気楽さをもたらす。アプリケータ１０の挿入端部３０がぺタル２４を有する場合、これらの花弁は、バギナへのアプリケータ１０の挿入中、綿撒糸１６を包囲し、その結果、使用者にとっての気楽さが増す。
【００１７】
バーレル１２の把持を高めるために、バーレル１２の外面にフィンガーグリップ領域２０が配置されている。好適な実施例では、フィンガーグリップ領域２０はバーレル１２の周囲または外面の配置されている。より詳細には、フィンガーグリップ領域２０はプランジャー受け端部２８に隣接して配置されている。
【００１８】
フィンガーグリップ領域２０は少なくとも１つ、より好ましくは２つまたはそれ以上の把持構造を有している。これらの把持構造は任意の多方向性把持構造である。例えば、把持構造は好ましくは１つまたはそれ以上のランス、スリット、孔またはそれらの任意の組合せである。把持構造はバーレル１２の外面の上方に隆起されてもよいし、バーレル１２の外面の下方に凹まされてもよいし、その先端がバーレル１２の外面と整合するように構成されてもよいし、或いはそれらの任意の組合せでもよい。把持構造は使用者の指用の高められた把持領域を形成するのに適した任意の形状および任意の数でパターン化され或いは配置されてもよい。
【００１９】
好ましくは、２つまたはそれ以上の把持構造は、実質的に、バーレル１２のプランジャー受け端部２８から押出し端部３０まで軸方向に延びている列に配置されている。多方向性把持を行うために、２つまたはそれ以上の把持構造が第１挿入方向に１つまたはそれ以上の列、および第１方向と実質的に反対の第２取出し方向に１つまたはそれ以上の残りの列に配置されている。その結果、タンポン使用者は、当然、アプリケータと同じ方向、すなわち、アプリケータの挿入中には挿入方向およびアプリケータの取出し中には取出し方向に配置された把持構造を有する列に指を載せる。
【００２０】
使用者の指が、把持構造が挿入方向および取出し方向の両方に配置されている多数の列を覆うか或いはこれらに接触すると、使用者は同じ方向に配置された把持構造によりアプリケータの移動方向に高められた把持性を感じるだけではなく、反対方向に配置された把持構造は追加の摩擦をもたらし、これによってもアプリケータの把持性を高める。その結果、多方向性把持構造により、使用者がアプリケータを挿入し、アプリケータから綿撒糸を押出し、そしてアプリケータを気楽に且つ容易に取出すことができる。
【００２１】
本発明の好適な実施例では、図１に示すように、把持構造は弧状形状に形成された２つまたはそれ以上のランス２２である。この形状では、バーレル１２の押出し端部３０からバーレルのプランジャー受け端部２８までの軸方向における弧状ランスの各列は隣接列における第１挿入方向および第２実質的に反対の方向に配置され、それにより多方向性把持構造をもたらしている。各弧状ランス２２は好ましくはバーレル１２の外面に切り込まれてバーレルの全厚にわたって切目を形成している。各弧状ランスの隆起縁部は肩部の縁部を構成しており、その結果、効果的な把持構造となる。各列における弧状ランスの方向を交互にすることにより、肩部の縁部は各列において反対方向に形成され、かくしてアプリケータ１０の挿入方向および取出し方向の両方に効果的な把持をもたらす。
【００２２】
図１は向上ランス２２が交互の軸方向、すなわち、挿入方向および取出し方向に配置された各列を示しているが、これらの列は、２つまたはそれ以上の隣接列が同じ方向に配置された把持構造を有し、２つまたはそれ以上の次の隣接列が実質的に反対の方向に配置された把持構造を有するように配置されている。挿入方向および取出し方向の両方に適切な軸方向の把持力を確保するために適当数の把持構造が互いに反対方向に配置されるように、把持構造の列を任意のパターンで配置することができることはわかるべきである。
【００２３】
アプリケータのバーレルおよび／またはフィンガーグリップ領域を仮定すると、把持構造を任意の数の実際の列に配置し得ることはわかるべきである。好ましくは、フィンガーグリップ領域は約４ないし約８つの列に配置される２つまたはそれ以上の多方向性把持構造を有している。より少ない数、すなわち、約４つの列を使用する場合、これらの列は、直径方向に対向された列が同じ方向に配置された把持構造を有するように配置されてもよい。このような配置によれば、当然、使用者の指がアプリケータの所期方向に配置された把持構造を有する列を把持し得る。この結果、消費者にとってアプリケータの使用がより容易になる。
【００２４】
また、任意の実質的な列における各把持構造の大きさ、寸法および／または形状が同じ方向における他の把持構造のもの僅かに変化してもよいことはわかるべきである。
【００２５】
各弧状ランスは好ましくは約０．２５４ｃｍ（０．１０インチ）と０．８８９ｃｍ（０．３５インチ）との間の幅を有している。より詳細には、各弧状ランスは０．３８１ｃｍ（０．１５インチュ）と０．６３５ｃｍ（０．２５インチ）との間の幅を有している。また、各弧状ランスは０．０２５ｃｍ（０．０１インチ）ないし約０．１５２ｃｍ（０．０６インチ）、より好ましくは約０．０５１ｃｍ（０．０２インチ）と約０．０７２ｃｍ（０．０３インチ）との間の高さを有する隆起縁部または肩部を形成している。
【００２６】
本発明の第２実施例である図２を参照すると、複数の把持構造はまっすぐなランスまたはスリット２２である。各まっすぐなランス２２は、その肩部３２がほぼまっすぐに横切っているように形成されている。各ランス２２には、好ましくは、肩部３２の各端部のところでノッチ３４が切り込まれており、これにより各ランス２２は形成中、バーレル１２の外面に対して隆起されるか、或いは凹まされている。各列におけるまっすぐなランスの方向を交互にすることによって、縁部または肩部は各列において反対方向に形成されており、かくしてアプリケータ１０の挿入方向および取出し方向の両方に効果的な把持をもたらす。弧状ランスの実施例について前述したように、まっすぐなランスを、高められた把持領域を形成するのに適した任意の形状および任意の数で配置したり或いはパターン化したりすることができることはわかるべきである。
【００２７】
また、まっすぐなランスと弧状ランスとの任意の組合せを有するフィンガーグリップ領域をタンポンアプリケータに形成することができることもわかるべきである。これらのランスを、高められた把持領域を形成するのに適した任意の形状および任意の数で配置したり或いはパターン化したりすることができる。
【００２８】
本発明のアプリケータのバーレル１２は、例えば、紙、紙積層体、紙系材料、プラスチックまたはそれらの任意の組合せのような材料から製造することができる。好ましくは、アプリケータのバーレルは紙系材料から製造されている。アプリケータを製造する際に使用する紙系材料は単一の材料層、または２つまたはそれ以上の積層層であることができる。アプリケータのバーレルを形成するための適当な紙系材料はとして、例えば、厚紙、ボール紙、カップ原料紙、紙スラリー、生体ポリマー、螺旋形木製管またはそれらの任意の組合せが挙げられる。バーレルを形成するのに使用される紙材料は１つまたはそれ以上にコーティング材料で被覆されてもよい。適当なコーティング材料としては、例えば、プラスチック、ワックス、シリコーン、生体ポリマー、セロファン、ニトロセルロース、ラッカー、エポキシまたはそれらの任意の組合せが挙げられる。
【００２９】
本発明の把持構造は当業界で公知な任意の方法でアプリケータのバーレル１２に形成し得る。しかしながら、図面、詳細には図３および図４を参照すると、本発明の好適な弧状把持構造は好ましくは平らなボール紙のアプリケータバーレルの管素材２６に形成されている。弧状の把持構造２２は、素材を管状バーレルに形成するに先立ってバーレルの管素材２６に切り開かれるか、或いは切り込まれる。把持構造がバーレルの管素材２６に形成されると、これを管３８に形成し、次いで線３６に沿って垂直方向に切って２つの別々の間４０、４２を形成する。アプリケータバーレルの管素材２６がバーレル管４０，４２に形成されると、各弧状ランスは魚の鱗のような隆起縁部または肩部を形成し、これにより使用者にとっての把持力をもたらす。本発明の他の実施例（図示せず）では、弧状把持構造の切り開きまたは切り込みは螺旋形木製管アプリケータバーレルにおいて行われる。
【００３０】
タンポン綿撒糸１４および特に半径方向に拡張しているタンポン綿撒糸は増大した力をアプリケータのバーレル１２に及ぼすことが可能であり、それによりタンポン使用者が綿撒糸をバギナに押し入れ難くしている。消費者が綿撒糸１４をバーレル１２からバギナに押し入れると、バギナの壁部によりアプリケータに及ぼされる取出し力に容易に打ち勝ち、アプリケータをバギナから取出すために、消費者が適当な把持力をアプリケータに及ぼすことが重要である。
【００３１】
要約すると、フィンガーグリップ領域２０に多方向性ランス付き把持構造を形成した結果、本発明のタンポンアプリケータ１０の挿入、そこに収容された吸収剤綿撒糸の追出し、および引き続くバギナからのアプリケータの取出しの間、女性がこのアプリケータ１０をしっかり、気楽に握り、操作し、位置決めすることができる。ランス付き把持構造は、使用者がアプリケータのバーレル１２における握りを変えることなしに挿入方向および取出し方向の両方において軸方向に把持力をもたらし、従って、使用者はアプリケータを容易に操り、操作し、位置決めすることができる。
【００３２】
以上の明細書および図面は本発明を単に例示するものであって、本発明を開示した実施例に限定しようとするものではない。当業者に明白である変更例および変形例が添付の請求項に定められる本発明の範囲および性質内のものである意図される。
【図面の簡単な説明】
【００３３】
【図１】本発明のタンポンアプリケータの好適な実施例の斜視図である。
【図２】本発明のタンポンアプリケータの他の実施例の斜視図である。
【図３】本発明のアプリケータバーレルの好適な実施例を形成する前のアプリケータバーレル素材の平面図である。
【図４】本発明のアプリケータバーレルの好適な実施例を形成するに先立って、バーレルに形成された図３におけるアプリケータバーレル素材の平面図である。
【図１】
2005504570.tif 000003
【図２】
2005504570.tif 000004
【図３】
2005504570.tif 000005
【図４】
2005504570.tif 000006
【国際公開パンフレット】
2005504570.tif 000007
2005504570.tif 000008
2005504570.tif 000009
2005504570.tif 000010
2005504570.tif 000011
2005504570.tif 000012
2005504570.tif 000013
2005504570.tif 000014
2005504570.tif 000015
2005504570.tif 000016
2005504570.tif 000017
2005504570.tif 000018
2005504570.tif 000019
2005504570.tif 000020
2005504570.tif 000021
2005504570.tif 000022
2005504570.tif 000023
2005504570.tif 000024
2005504570.tif 000025
【国際公開パンフレット（コレクトバージョン）】
2005504570.tif 000026
【国際公開パンフレット（コレクトバージョン）】
2005504570.tif 000027
【国際調査報告】
2005504570.tif 000028